(57)【特許請求の範囲】
【請求項１】
可動盤１上の左右に一対ずつ立設した支持ロッド４と、
一対の支持ロッド間の可動盤上に立設したノズルタッチ装置５と、
一対の支持ロッドに挿通して架設し、ノズルタッチ装置５の作動ロッド５ｂと連結して昇降自在に設けた両側の支持部材６と、
その支持部材６の両方に加熱筒保持体９の両側を支持ピン１４によりそれぞれ回動自在に軸承して、スクリュ内装の加熱筒８を下向きに設けた射出装置２と、
その射出装置２を支持部材６に固定するボルト１５と、
射出装置２と可動盤１との側部にわたり着脱自在に設けられて、ノズルタッチ装置５による射出装置２の上昇を制限するとともに、作動ロッド５ｂの伸長力により支持ピン１４を支点とする偶力を発生させて、加熱筒８先端が可動盤１外に位置するところまで射出装置２を回動傾斜する索条１８とからなることを特徴とする傾斜手段を備えた竪型射出装置の支持機構。
【請求項２】
請求項１に記載の竪型射出装置の支持機構において、上記射出装置２を上記ボルト１５を外して加熱筒保持体９を支持ピン１４を中心に回動自在となしたのち、射出装置２と可動盤１の側部とにわたり所要長さの上記索条１８を掛け設けて、上記ノズルタッチ装置５の作動ロッド５ｂの伸長により射出装置２を上昇し、その上昇を索条１８の長さにより制限するとともに、作動ロッド５ｂの伸長力により支持ピン１４を支点とする偶力を発生させ、その偶力により射出装置２を加熱筒８先端が可動盤１外に位置するところまで傾斜してなることを特徴とする竪型射出装置の傾斜方法。
【発明の詳細な説明】
【０００１】
【発明の属する技術分野】
この発明は、機台上の可動盤に下向きに立設した射出装置を回動傾斜する手段を備えた竪型射出装置の支持機構と傾斜方法に関するものである。
【０００２】
【発明が解決しようとする課題】
可動盤上に立設した複数本の案内ロッドに、ロック機構を設けたブラケットを挿通し、そのブラケットに射出ブラケット本体の両端を、偏心位置のボルトにより回動自在に軸支すると共にボルトにより固定して、ブラケットにより射出ブラケット本体を案内ロッドに昇降自在に設け、そのブラケットをスクリュ交換時にロック機構により案内ロッドに固着し、固定ボルトを外して射出ブラケット本体を自由状態となしたのち、可動盤との間に設けたノズルタッチシリンダを伸長して、偏心位置のボルトを支点に射出ブラケット本体を下側のスクリュ内装の加熱筒と共に回動して傾斜し、スクリュ交換を行えるようにした竪型射出成形機は既に知られている。
【０００３】
このような成形機でスクリュ交換を行うには、常に昇降移動している射出ブラケット本体を、スクリュ交換時に案内ロッドにブラケットを固定するロック機構が必要であり、またスクリュ交換に際して固定ボルトの取外し以外にもロック機構による固定操作を要するなどの課題を有する。
【０００４】
この発明の目的は、支持ピンにより軸承した射出装置のノズルタッチ装置による上昇移動を側部で制限し、そこに生ずる偶力により射出装置を回動傾斜して、加熱筒内の清掃やスクリュ交換等を容易に行え得る新たな傾斜手段を備えた竪型射出装置の支持機構と傾斜方法とを提供することにある。
【０００５】
【課題を解決するための手段】
上記目的によるこの発明の竪型射出支持機構は、  可動盤上の左右に一対ずつ立設した支持ロッドと、一対の支持ロッド間の可動盤上に立設したノズルタッチ装置と、一対の支持ロッドに挿通して架設し、ノズルタッチ装置の作動ロッドと連結して昇降自在に設けた両側の支持部材と、その支持部材の両方に加熱筒保持体の両側を支持ピンによりそれぞれ回動自在に軸承して、スクリュ内装の加熱筒を下向きに設けた射出装置と、その射出装置を支持部材に固定するボルトと、射出装置と可動盤との側部にわたり着脱自在に設けられて、ノズルタッチ装置による射出装置の上昇を制限するとともに、作動ロッドの伸長力により支持ピンを支点とする偶力を発生させて、加熱筒先端が可動盤外に位置するところまで射出装置を回動傾斜する索条とからなる、というものである。
【０００６】
この発明の傾斜方法は、上記竪型射出装置の支持機構において、上記射出装置を上記ボルトを外して加熱筒保持体を支持ピンを中心に回動自在となしたのち、射出装置と可動盤の側部とにわたり所要長さの上記索条を掛け設けて、上記ノズルタッチ装置の作動ロッドの伸長により射出装置を上昇し、その上昇を索条の長さにより制限するとともに、作動ロッドの伸長力により支持ピンを支点とする偶力を発生させ、その偶力により射出装置を加熱筒先端が可動盤外に位置するところまで傾斜してなる、というものである。
【０００７】
上記構成では、回動自在に軸承した射出装置と可動盤との側部に、索条の両端を掛け設けるフック等を設けておき、必要に応じて索条を射出装置と可動盤とにわたり掛け設け、射出装置の固定を解除してノズルタッチ装置を伸長作動するだけで、射出装置を自然に回動傾斜することができ、これにより加熱筒先端が可動盤から外れるので、その傾斜位置に射出装置を固定して、加熱筒先端のノズル及び内部のスクリュの着脱作業を安全に行うことができる。また垂直復帰も固定を解除してノズルタッチ装置を縮小作動するだけでよいから、操作も簡単に済むようになる。
【０００８】
【発明の実施の形態】
図に示す実施形態は、油圧作動のノズルタッチ装置を備えた竪型射出装置の支持機構を示すものである。
【０００９】
図中１機台（図は省略）の上方に位置する可動盤で、その上面の左右に射出装置２の支保台３が座板３ａを設置して対設してある。この支保台３は座板３ａの上に並設した一対の支板３ｂの頂部に台板３ｃを横架したものからなり、その座板３ｃの上面の左右両側に支持ロッド４が一対ずつ平行に立設してある。この支持ロッド４には射出装置２の支持部材６が一対の支持ロッドごとに昇降自在に挿通して水平に架設してある。
【００１０】
また各支板３ｂの間の台板３ｃには、油圧シリンダ５ａと、その内部のピストンに連結した作動ロッド５ｂとからなる左右一対のノズルタッチ装置５が、作動ロッド５ｂを支持ロッド間に位置させて縦長に取り付けてあり、その作動ロッド５ｂの先端を上記支持部材６に連結して、該支持部材６を射出装置２と一緒に昇降自在に支持し、作動ロッド５ｂの縮小によりノズルタッチが、また伸長により上昇が行えるようにしてある。
【００１１】
上記射出装置２は、スクリュ７を内装した加熱筒８を下側中央に備える加熱筒保持体９と、その両側に縦に一体形成した射出シリンダ１０及び射出ピストン１１と、その射出ピストン１１のロッド上端に連結して加熱筒保持体９の上部に配設した射出ブロック１２と、射出ブロック１２に設置して内部の回転伝動部材（図は省略）を介しスクリュ７と連結した油圧モータ１３とからなる。
【００１２】
上記加熱筒保持体９の両側上部と、上記支持部材６の内側とには軸承孔が凹してあり、その軸承孔に嵌合した支持ピン１４により、加熱筒保持体９を左右の支持部材６に軸承して、可動盤上に射出装置２を回転自在に支持している。また軸承孔を中心とする周囲には複数のボルト孔が設定間隔ごとに穿設してあり、各ボルト孔に螺着したボルト１５により、射出装置２を垂直又は傾斜固定することができるようにしてある。
【００１３】
また加熱筒保持体９の背面と、その直下の可動盤側面とには、図２以下に示すように、フック部材１６，１７が設けてあり、そのフック部材１６，１７にワイヤロープやチェーン等による索条１８の両端を掛け止めて、索条１８により上記ノズルタッチ装置５による射出装置２の上昇を側部にて制限することができるようにしてある。なお、図中１９は射出ブロック１２に連結して加熱筒保持体９に挿通した背面両側のガイドロッドである。
【００１４】
次に上記支持機構における射出装置２の回動傾斜について説明すると、スクリュ７の清掃又は交換が必要となったときに、先ず射出装置２を固定しているボルト１５を外して、射出装置２を前後方向に自由状態となしたのち、射出装置２と可動盤１のフック部材１６，１７に、予め備えた設定長さの索条１８を掛け設ける。かかる準備の後にノズルタッチ装置５の作動ロッド５ｂを緩速で伸長作動して射出装置２を上昇する。
【００１５】
射出装置２が索条１８により制限を受ける高さまで達すると、索条１８により加熱筒支持体９の側部が引っ張られて、支持ピン１４を支点とする偶力が伸長しつつある作動ロッド５ｂにより発生する。その偶力により射出装置２は作動ロッド５ｂが伸長を停止するまで背面側に回動して傾斜する。この傾斜により加熱筒先端が可動盤１の前面側に弧を描いて移動するので、その先端が可動盤外に傾斜位置したところで伸長を停止する。そこで射出装置２を取り外したボルト１５により再固定して傾斜位置を保つ。
【００１６】
このように、必要に応じて索条１８を可動盤１と射出装置２とにわたり掛け設け、ノズルタッチ装置５を伸長作動するだけで、自由状態となした射出装置２が回動傾斜して、加熱筒先端が可動盤外に傾斜位置するので、特別な操作を要することなく傾斜作業を簡単に行うことができる。また不要時の索条１８はフック部材１７に巻付けておくか、或いは図では省略するが、可動盤背面に巻取リールを取付け、そこに巻付けて収納することもできるなどのことから、索条１８が成形作業の邪魔となるようなこともない。
【００１７】
また傾斜も加熱筒８の長さによりある程度の差はあるが、先端が可動盤外に位置する程度の角度（例えば１５°）で済むので、その角度前後であれば傾斜による射出装置２の反転も起こり難く、傾斜後はボルト１５により固定して安全を確保できるので、ノズルタッチ装置５の誤作動による作業中の危険も防止することができる。
【００１８】
さらに図示のノズルタッチ装置５は油圧作動によるものであるが、ボールねじ軸とボールナット部材とによる電動式ノズルタッチ装置でも同様に採用し得るので電動モータを駆動源とする竪型射出装置にも応用することができる。
【図面の簡単な説明】
【図１】  この発明に係る傾斜手段を備えた竪型射出装置の半断縦断正面図である。
【図２】  同上の索条取付け前の上部横断平面図である。
【図３】  同上の側面図である。
【図４】  射出装置の傾斜時の側面図である。
【符号の説明】
１      可動盤
２      射出装置
３      支保台
４      支持ロッド
５      ノズルタッチ装置
５ｂ    作動ロッド
６      支持部材
７      スクリュ
８      加熱筒
９      加熱筒支持体
１０      射出シリンダ
１１      射出ピストン
１２      射出ブロック
１３      油圧モータ
１４      支持ピン
１５      ボルト
１６，１７    フック部材
１８      索条
【図１】
0003849056.tif 000002
【図２】
0003849056.tif 000003
【図３】
0003849056.tif 000004
【図４】
0003849056.tif 000005